(57)【要約】【課題】画像処理装置や家電製品などのネットワーク機器において、ユーザーと機器状況に応じた適切なヘルプページを動的に生成する。【解決手段】画像処理装置１とクライアント端末３が相互にLAN４で接続されている。ヘルプ作成用データを保持するヘルプサーバー装置２が、広域ネットワークWAN５を介して接続されている。画像処理装置１は、クライアント端末３からの要求に応じて、Webページを動的に生成して、クライアント端末３に応答する。ヘルプサーバー装置２から、必要なヘルプ作成用データを取得して保持する。Webページについてのクライアント端末３からの要求に応じて、ユーザーとオプション装着状態に対応するヘルプページを動的に作成して、クライアント端末３に応答する。このようにして、ユーザーに分かりやすい必要なヘルプ情報のみを迅速的確に提示できる。【選択図】図１
2007206999.tif 000002
【特許請求の範囲】
【請求項１】
ネットワーク機器と、前記ネットワーク機器にLAN接続されたクライアント端末と、前記ネットワーク機器と前記クライアント端末とに広域ネットワークを介して接続されたヘルプサーバー装置とを具備するヘルプシステムにおいて、前記ネットワーク機器は、前記クライアント端末からの要求に応じてWebページを動的に生成して前記クライアント端末に応答するWebページ生成手段と、前記Webページについての前記クライアント端末からの要求に応じてユーザー権限とオプション装着状態に対応するヘルプページを動的に作成して前記クライアント端末に応答するヘルプページ作成手段と、前記ヘルプサーバー装置から必要なデータを取得する手段と、ヘルプ作成用データを保持する手段とを備え、前記ヘルプサーバー装置は、ヘルプ作成用に必要なXSLと言語リソースと複数種類のCSSファイルとを含むデータを格納した記憶手段を備えることを特徴とするヘルプシステム。
【請求項２】
クライアント端末にLAN接続され、広域ネットワークを介してヘルプサーバー装置に接続されたネットワーク機器において、前記クライアント端末からの要求に応じてWebページを動的に生成して前記クライアント端末に応答するWebページ生成手段と、前記クライアント端末からの要求に応じて前記Webページについてのヘルプページを動的に作成して前記クライアント端末に応答するヘルプページ作成手段と、前記ヘルプサーバー装置から必要なデータを取得する手段と、ヘルプ作成用データを保持する手段とを備えることを特徴とするネットワーク機器。
【請求項３】
オプション部品の装着状態を判断する手段と、装着されているオプション部品のみのヘルプを動的に作成する手段と、装着されていないオプション部品のヘルプを提供しないように制御する手段とを備えることを特徴とする請求項２記載のネットワーク機器。
【請求項４】
ログインしているユーザーの権限に合致したヘルプを動的に作成する手段を備えることを特徴とする請求項２記載のネットワーク機器。
【請求項５】
必要なヘルプ作成用データを保持しているか否かを判断する手段と、保持していない場合はヘルプ作成用データを前記ヘルプサーバー装置からダウンロードする手段とを備えることを特徴とする請求項２記載のネットワーク機器。
【請求項６】
定期的にヘルプ作成用データを前記ヘルプサーバー装置からダウンロードする手段を備えることを特徴とする請求項２記載のネットワーク機器。
【請求項７】
ヘルプ作成用データを前記ヘルプサーバー装置からダウンロードするタイミングを設定する手段を備えることを特徴とする請求項２記載のネットワーク機器。
【請求項８】
ヘルプページのレイアウト情報とフォントを指定するCSSとを含むヘルプ作成用データをあらかじめ複数種類格納した記憶装置と、ユーザーごとにいずれかを選択する手段とを備えることを特徴とする請求項２記載のネットワーク機器。
【請求項９】
前記ヘルプページ作成手段は、動的に作成するXMLと、前記ヘルプページを作成するためのXSLと、文字列リソースのXMLとから、前記ヘルプページを作成する手段を備えることを特徴とする請求項２記載のネットワーク機器。
【請求項１０】
レーザープリンタとデジタル複合機とデジタルカメラのうちのいずれか１つを含む画像処理装置であることを特徴とする請求項２〜９のいずれかに記載のネットワーク機器。
【請求項１１】
冷蔵庫とHDレコーダーとテレビとビデオ機器とオーディオ機器と電話機のうちのいずれか１つを含む家庭電化製品であることを特徴とする請求項２〜９のいずれかに記載のネットワーク機器。
【請求項１２】
ヘルプサーバー装置に、ヘルプ作成に必要なXSLと言語リソースと複数種類のCSSファイルとを含むデータを保持しておき、前記ヘルプサーバー装置にネットワーク接続されたネットワーク機器は、ネットワーク接続されたクライアント端末からの要求に応じてWebページを動的に生成して前記クライアント端末に応答し、前記Webページについての前記クライアント端末からのヘルプ要求に応じて、ヘルプ作成に必要なデータを保持しているか否かを判断し、保持していない場合はヘルプ作成用データを前記ヘルプサーバー装置からダウンロードして保持し、前記クライアント端末のユーザー権限とオプション装着状態に対応するヘルプページを動的に作成して前記クライアント端末に応答することを特徴とする動的ヘルプ方法。
【発明の詳細な説明】
【技術分野】
【０００１】
本発明は、ヘルプシステムに関し、特に、画像形成装置や家電製品などのネットワーク機器がヘルプページを動的に生成するヘルプシステムに関する。
【背景技術】
【０００２】
従来のヘルプシステムとしては、静的なHTMLでヘルプ情報を提供するものがある。ネットワーク上のサーバーにオンラインヘルプHTMLを保持している。ネットワーク機器の提供するWebページに、オンラインヘルプへのリンクが張られている。このWebページからオンラインヘルプを容易に参照することができる。以下に、これに関連する従来技術の例をいくつかあげる。
【０００３】
特許文献１に開示された「マニュアル作成活用システム」は、対象システムの操作マニュアルの新規作成と修正と活用を合理的に行うようにしたものである。このソフトウエアは、マニュアル作成活用サーバーに保持されている。マニュアルの対象システムは、対象システム用サーバーに保持されている。マニュアル作成者は、端末を用いて、対象システムのそれぞれに必要な画面を、マニュアル作成用画面に貼り付ける。それぞれに対して、音声でマニュアルの説明部分を入力することにより、マニュアル作成を行う。対象システムのバージョンアップ時には、マニュアル作成活用サーバーにて、バージョンアップ部分を自動判別して、マニュアルを自動作成して差し替える。
【０００４】
特許文献２に開示された「電子メールを利用した情報検索方法」は、ブラウザの使い方の知識や入力ルールなどを知らなくても、簡単に使いこなすことができる情報検索方法である。ユーザーは、知りたいことを自由な書式で文章として作成し、検索を実行するための指定のメールアドレスに電子メールで送る。電子メールを受け取った検索サイトは、翻訳処理装置で自動的に必要なキーワードを抽出する。抽出したキーワードを基に、さらに検索処理装置で検索も行う。利用にあたっては、検索サイトのメールアドレスを知っていればよい。予め検索条件などを設定する必要もない。
【０００５】
特許文献３に開示された「ホームページ作成更新方法」は、コンピュータやインターネットに関する知識がなくとも、誰でも簡単にホームページを作成・更新できる方法である。CTIサーバーには、データ蓄積部が設けられている。ウェブサーバーが、インターネット上でCTIサーバーと複数接続される場合には、ウェブサーバーごとにユーザーIDが関係付けられて格納される。ユーザーIDは、画像データとマークシートデータとが関係付けられて格納される。ウェブサーバーのそれぞれが、データ蓄積部内の関係付けられているデータから、固有のホームページを作成・更新する。
【０００６】
特許文献４に開示された「ウェッブベースのヘルプ／トレーニング用コンテンツ」は、ウェッブベースのアプリケーションを使用するユーザーに対して提供される関連する双方向性のヘルプ／トレーニング用コンテンツである。このヘルプ／トレーニング用コンテンツは、ウェッブベースのアプリケーション中でユーザーのカーソルが示すオブジェクト又はページに対応している。ヘルプ／トレーニング用コンテンツには、指示、ポリシー、手続、ヒント、その他の情報が含まれる。これらの情報は、ダイナミックに更新されて、ユーザーに提供される。関連するヘルプ／トレーニング用コンテンツが、別枠のブラウザ・ウインドウに表示される。ページに関する一般情報の他に、特定のオブジェクトに関連する詳細情報が提供される。
【特許文献１】特開2002-297793号公報
【特許文献２】特開2003-076711号公報
【特許文献３】特開2003-132018号公報
【特許文献４】特開2005-526999号公報
【発明の開示】
【発明が解決しようとする課題】
【０００７】
しかし、従来のヘルプシステムには、次のような問題がある。ユーザーやオプション装着状況に適合した全てのケースのヘルプ情報を作成するには、非常に開発時間とコストがかかる。例えば、ネットワークデバイスオプションが複数種類存在する場合、これらの装着有無に合わせて、それぞれヘルプ情報を作成するのには手間がかかる。また、標準装備品を除いた装置の場合、存在しない部品のヘルプを除くように修正する必要があり、コストがかかる。逆に、全ての装備を網羅したヘルプ情報を提供されたユーザーは、存在しない部品のヘルプ情報が表示されて、煩わしい思いをする。ユーザーは、実行権限のない項目のヘルプ情報が表示されても、煩わしい思いをする。権限のない項目のヘルプが表示されると、セキュリティ上の問題も生じる。
【０００８】
ヘルプ情報がインターネットを介した外部サーバーにあると、インターネット接続する必要があり、インターネット接続環境がダイアルアップ等のように劣悪な場合は、ヘルプ表示までの時間がかかる。また、ヘルプ作成用データをネットワーク機器が保持していると、アップデートが困難である。ネットワーク機器のメモリの容量には限りがあるため、十分なヘルプ内容を搭載することが難しい。ネットワーク機器の使用開始時に、サービスエンジニアまたはユーザーがヘルプ作成用データをダウンロードする必要があって面倒であるし、使用開始時点での最新のヘルプしか見ることができない。
【０００９】
ヘルプ作成用データを自動でダウンロードすれば、ユーザーが望まないタイミングで、ネットワーク機器が不必要なインターネット接続を行う可能性があり、無駄なネットワークトラフィックが発生する。定型的なヘルプ情報では、身体に障害のある方や高齢者も含んだ全てのユーザーに同じ形式のヘルプ情報を提供することしかできない。デザインに必要な部分と、ヘルプ構築に必要な動的なデータの分離が困難であり、ヘルプページを動的に作成することが非常に困難である。画像処理装置や家電製品は、情報処理機能を付加的に組み込んだ機器であり、情報処理能力が十分ではないので、適切なヘルプ情報を十分に提供できない。
【００１０】
本発明の目的は、上記従来の問題を解決して、画像処理装置や家電製品などのネットワーク機器において、ユーザーと機器状況に応じた適切なヘルプページを動的に生成することである。
【課題を解決するための手段】
【００１１】
上記の課題を解決するために、本発明では、ネットワーク機器と、ネットワーク機器にLAN接続されたクライアント端末と、ネットワーク機器とクライアント端末とに広域ネットワークを介して接続されたヘルプサーバー装置とを具備するヘルプシステムのネットワーク機器に、クライアント端末からの要求に応じてWebページを動的に生成してクライアント端末に応答するWebページ生成手段と、Webページについてのクライアント端末からの要求に応じてユーザー権限とオプション装着状態に対応するヘルプページを動的に作成してクライアント端末に応答するヘルプページ作成手段と、ヘルプサーバー装置から必要なデータを取得する手段と、ヘルプ作成用データを保持する手段とを備え、ヘルプサーバー装置に、ヘルプ作成用に必要なXSLと言語リソースと複数種類のCSSファイルとを含むデータを格納した記憶手段を備える構成とした。
【発明の効果】
【００１２】
上記のように構成したことにより、ユーザーとオプション装着状況に合ったヘルプ情報が、時間もコストもかけずに作成でき、ユーザーに分かりやすい必要なヘルプ情報のみを提示できる。ネットワーク機器にLAN経由でアクセスするのみでヘルプページを閲覧でき、インターネット接続する必要がないため、応答が早い。ヘルプページのデザインとデータの分離ができ、高齢者などのハンディのあるユーザーにも適合した、読みやすいヘルプページを、容易に作成できる。
【００１３】
ヘルプ作成用データをヘルプサーバー装置に保持することで、アップデートや拡張が容易にできる。ヘルプサーバー装置のメモリ容量は多いため、きめこまかなヘルプ情報を提供できる。ヘルプ作成用データのダウンロードが最適化され、インターネット接続は最低限に抑えられて、ユーザーは最新のヘルプを閲覧できる。Webサービスなどの他のシステムとの連携も可能になり、利便性がよくなる。画像処理装置や家電製品などのネットワーク機器においても、十分なヘルプ情報が提示できるので、冊子マニュアルが不要になり、省エネ省資源を実現できて使い勝手も向上する。
【発明を実施するための最良の形態】
【００１４】
以下、本発明を実施するための最良の形態について、図１〜図６を参照しながら詳細に説明する。
【実施例１】
【００１５】
本発明の実施例１は、画像処理装置とクライアント端末が相互にLAN接続され、ヘルプ作成用データを保持するヘルプサーバー装置が広域ネットワークを介して接続され、画像処理装置は、クライアント端末からの要求に応じてWebページを動的に生成してクライアント端末に応答し、ヘルプサーバー装置から必要なデータを取得して保持し、Webページについてのクライアント端末からの要求に応じてユーザーとオプション装着状態に対応するヘルプページを動的に作成してクライアント端末に応答するヘルプシステムである。
【００１６】
図１（ａ）は、本発明の実施例１におけるヘルプシステムの構成概略図である。図１（ａ）において、画像処理装置１は、Webページ生成機能とヘルプページ作成機能などのネットワーク機器の機能を備えたレーザープリンタやコピー機やデジタル複合機などである。デジタルカメラでもよい。ヘルプサーバー装置２は、ヘルプ作成用データを保持するWebサーバー装置である。クライアント端末３は、パソコンなどのWeb端末である。LAN４は、ローカルエリアネットワークである。WAN５は、インターネットである。
【００１７】
図１（ｂ）は、画像処理装置のモジュール構成を示す概略図である。図２（ａ）は、websysモジュール構成の詳細図である。図２（ｂ）は、Webアプリからのヘルプ作成用応答XMLを示す図である。図３は、ユーザー権限に応じて出力を変えるXLSを示す図である。図４は、ヘルプ用言語リソースを示す図である。
【００１８】
上記のように構成された本発明の実施例１におけるヘルプシステムの機能と動作を説明する。最初に、図１（ａ）を参照しながら、ヘルプシステムの機能の概略を説明する。クライアント端末３から、Webブラウザを使って画像処理装置１に対してアクセスすると、画像処理装置１は、Webページを動的に生成して応答する。クライアント端末３は、Webページを使って、画像処理装置１を操作することができる。Webページには、ヘルプページへのリンクがある。ヘルプリンクを押下すると、画像処理装置１は、ヘルプページを作成して応答する。その際、ユーザー権限などのユーザー属性と、画像処理装置１のオプション装着状態などの装置属性に応じて、対応するヘルプページを動的に作成する。
【００１９】
ヘルプサーバー装置２は、ヘルプ作成用に必要なXSL(eXtensible Stylesheet Language)と言語リソースと複数種類のCSSファイル(Cascading Style Sheet File)とを含むデータを保持している。画像処理装置１は、必要なヘルプ作成用データを保持しているか否かを判断し、保持していない場合は、ヘルプ作成用に必要なデータを、ヘルプサーバー装置２からダウンロードして保持する。ダウンロードは、ユーザー設定のタイミングに従って定期的に行う。画像処理装置１は、ヘルプページのレイアウト情報とフォントを指定するCSSとを含むヘルプ作成用データを、予め複数種類保持している。動的に作成するXMLと、ヘルプページを作成するためのXSLと、文字列リソースのXMLとから、ヘルプページを作成する。
【００２０】
次に、図１（ｂ）を参照しながら、画像処理装置の機能を説明する。画像処理装置１は、従来の装置と同様に、画像をスキャンし印刷するエンジン部と、OSや各種管理サービスプログラムを含むプラットフォーム層と、ユーザーの操作に応じてコピーなどを行うアプリ層を備えている。このうちのアプリ層のWebアプリにより、ネットワーク機器の機能を実現している。
【００２１】
次に、図２（ａ）を参照しながら、画像処理装置のヘルプ機能を説明する。画像処理装置１は、図２（ａ）に示すように、Webページに対するヘルプページのヘルプIDとヘルプ用のXSLとの関連テーブル(ヘルプ情報テーブル)を持っている。ヘルプのリンクページ応答を返す際に、１つのヘルプリンクに対し、該当ヘルプページがわかるよう、ヘルプページ要求時にヘルプIDをパラメータとして、クライアント端末３から画像処理装置１に渡すようにしておく。
【００２２】
図２（ａ）に示すwebsysモジュール構成詳細図において、クライアント端末３から、ヘルプページへのリクエスト要求が、ヘルプIDと共に渡されてくる。help page Functionは、NCSなどのサービス層やアプリケーションに問い合わせ、LANアダプタの種類や、IEEE802.11b装着有無や、アプリケーションの有無や、ベンダー名や、ヘルプIDに対応するヘルプXSLパスなど、ヘルプ作成に必要な機器構成情報を取得し、help page handlerへ応答する。help page handlerでは、このヘルプ作成用データをDOM(Document Object Model)にして、libacaciaへ応答する。libacaciaは、DOMをXMLに変換する。変換したXMLの例として、Webアプリからのヘルプ作成用応答XMLを、図２（ｂ）に示す。
【００２３】
ヘルプ作成用応答XMLは、装着デバイスやアプリケーションの有無を表現している。また、ベンダー名や、機器管理者や、ユーザーや、ゲストなどのアカウント情報を表現する。ヘルプ情報テーブルより、ヘルプIDから使用するヘルプページ用XSLは分かるため、libacaciaからsabcmdを呼び出して、ヘルプ作成用応答XMLとヘルプIDに該当するヘルプ用XSLを使用して、ヘルプページを作成する。
【００２４】
次に、図３と図４を参照しながら、XSLの例を説明する。これは、アカウント情報において出力を変えている例である。例えば、アカウント情報を表す"profile"が、"machine admin"の場合は、機器管理者用のヘルプを表示する。また、このとき、言語リソースは、言語ごとに分かれたものを用意しておく。図４に、ヘルプ用言語リソースの例に示す。このように、sabcmdは、指定されたヘルプページHTMLを応答し、結果、クライアントが指定したヘルプページを提供する。
【００２５】
ヘルプ用のXSLと言語リソースは、ヘルプサーバー装置２にある。画像処理装置１は、ヘルプページに必要な情報が含まれたXMLを応答する。図２（ａ）におけるヘルプ情報テーブルのXSLパスは、ヘルプサーバー装置２のURLになっている。同じく、図２（ａ）において、libacaciaは、sabcmdに対し、ヘルプページ作成情報が含まれたDOMを渡すが、sabcmdからの応答は、HTMLではなくXMLになっている。図２（ｂ）のXMLには、external XSL用のXSLパス、すなわち、ヘルプサーバー装置１上のXSLのURLパスが記載されており、クライアント端末３側で、external XSLの処理を行う。
【００２６】
画像処理装置１が保持しているHDDやSDメモリ等に、ヘルプサーバー装置２にあるヘルプXSLと言語を、httpやftpなどのプロトコルを使用して取得するようなリンクが存在するページを、クライアント端末３に応答することにより、ユーザーがそのリンクを押下して、ヘルプファイルを画像処理装置１に保存することができる。このとき、ヘルプ情報テーブルのXSLパスは、HDDやSDメモリなどの内部用のパスに置き換え、ユーザーにヘルプを提供する。
【００２７】
ヘルプ情報テーブルを２つ持つことができる。元々保持しているヘルプサーバー装置２のものに加え、ダウンロードのタイミングで、画像処理装置１内部用のものを新たに作成する。画像処理装置１内部用のテーブルが存在すれば、内部用を優先し、存在しない場合は、元々保持しているヘルプサーバー装置２のテーブルを使用する。
【００２８】
画像処理装置１は、タイマーを持っている。ユーザーのアクションがなくても、決まった時間にヘルプサーバー装置２からヘルプ作成用データを取得しにいき、HDDやSDメモリへ上書き保存を行う。このタイミングを設定できるユーザーインタフェースを提示する。例えば、起動時のみとか、何日ごととか、手動入力などを設定できる。設定値に従ってタイマーをかけ、ヘルプ作成用データを取得する。
【００２９】
予め、CSSファイルを数種類、画像処理装置１内またはヘルプサーバー装置２上に保持している。アカウントごとに、どのCSSファイルを使用するか選択可能である。画像処理装置１内部において、アカウント情報と関連付けて保持している。図２（ａ）のhelp page functionで、アカウントによってどのCSSを使用するのかを、ヘルプページ作成情報の応答の中に含める。ヘルプXSLでは、指定されたCSSを使用する。
【００３０】
上記のように、本発明の実施例１では、ヘルプシステムを、画像処理装置とクライアント端末が相互にLAN接続され、ヘルプ作成用データを保持するヘルプサーバー装置が広域ネットワークを介して接続され、画像処理装置は、クライアント端末からの要求に応じてWebページを動的に生成してクライアント端末に応答し、ヘルプサーバー装置から必要なデータを取得して保持し、Webページについてのクライアント端末からの要求に応じて、ユーザーとオプション装着状態に対応するヘルプページを動的に作成してクライアント端末に応答する構成としたので、ユーザーとオプション装着状況に合ったヘルプ情報が、時間もコストもかけずに作成でき、ユーザーに分かりやすい必要なヘルプ情報のみを提示できる。
【実施例２】
【００３１】
本発明の実施例２は、冷蔵庫とクライアント端末が相互にLAN接続され、ヘルプサーバー装置が広域ネットワークを介して接続され、冷蔵庫は、クライアント端末からの要求に応じてWebページを動的に生成してクライアント端末に応答し、クライアント端末からの要求に応じて、ヘルプ情報として料理のレシピページを動的に作成してクライアント端末に応答するヘルプシステムである。
【００３２】
このヘルプシステムは、実施例１のヘルプシステムの画像処理装置を冷蔵庫に置き換えたものである。冷蔵庫は、Webページ生成機能とヘルプページ作成機能などのネットワーク機器の機能を備えたものである。その他の基本的な構成は、実施例１と同じである。
【００３３】
本発明の実施例２におけるヘルプシステムの機能と動作を説明する。クライアント端末から、Webブラウザを使って冷蔵庫に対してアクセスすると、冷蔵庫は、Webページを動的に生成して応答する。クライアント端末３は、Webページを使って、冷蔵庫を操作することができる。Webページには、レシピページへのリンクがある。レシピリンクを押下すると、冷蔵庫は、レシピページを作成して応答する。その際、冷蔵庫に保存されている食品材料の有無に応じて料理のレシピページを動的に作成する。材料の有無は、RFIDなどを利用して冷蔵庫内のセンサーで判別する。ユーザーが材料をしまう際に、材料データを入力してもよい。冷蔵庫は、どの材料が入っているかというデータを常に保持している。
【００３４】
ヘルプサーバー装置は、レシピ作成用に必要なXSLと言語リソースと複数種類のCSSファイルとを含むデータを保持している。冷蔵庫は、必要なレシピ作成用データを保持しているか否かを判断し、保持していない場合は、レシピ作成用に必要なデータを、ヘルプサーバー装置からダウンロードして保持する。ダウンロードは、ユーザー設定のタイミングに従って定期的に行う。冷蔵庫は、レシピページのレイアウト情報とフォントを指定するCSSとを含むレシピ作成用データを、予め複数種類保持している。動的に作成するXMLと、レシピページを作成するためのXSLと、文字列リソースのXMLとから、レシピページを作成する。
【００３５】
冷蔵庫に限らず、HDレコーダーやテレビやビデオ機器やオーディオ機器や電話機などの家庭電化製品でも、同様にしてヘルプを作成して応答することができる。録画の操作方法や、録画した内容の説明や、再生方法の指示など、クライアント端末から必要な情報を読み出して操作することができる。
【００３６】
上記のように、本発明の実施例２では、ヘルプシステムを、冷蔵庫とクライアント端末が相互にLAN接続され、ヘルプサーバー装置が広域ネットワークを介して接続され、冷蔵庫は、クライアント端末からの要求に応じてWebページを動的に生成してクライアント端末に応答し、クライアント端末からの要求に応じて、ヘルプ情報として料理のレシピページを動的に作成してクライアント端末に応答する構成としたので、ネットワーク家電製品においても、十分なヘルプ情報が提示でき、冊子マニュアルがなくても便利に使える。
【産業上の利用可能性】
【００３７】
本発明のヘルプシステムは、画像形成装置や家電製品などのネットワーク機器がヘルプページを動的に生成するヘルプシステムとして最適である。
【図面の簡単な説明】
【００３８】
【図１】本発明の実施例１におけるヘルプシステムの構成を示す概略図と、画像処理装置のモジュール構成を示す概略図である。
【図２】本発明の実施例１におけるヘルプシステムのwebsysモジュール構成の詳細図と、Webアプリからのヘルプ作成用応答XMLを示す図である。
【図３】本発明の実施例１におけるヘルプシステムで用いるユーザー権限に応じて出力を変えるXLSを示す図である。
【図４】本発明の実施例１におけるヘルプシステムで用いるヘルプ用言語リソースを示す図である。
【符号の説明】
【００３９】
１・・・画像処理装置、２・・・ヘルプサーバー装置、３・・・クライアント端末、４・・・LAN、５・・・WAN。
【図１】
2007206999.tif 000003
【図２】
2007206999.tif 000004
【図３】
2007206999.tif 000005
【図４】
2007206999.tif 000006